(57)【特許請求の範囲】
【請求項１】
ドラムの胴体部の外周面と対向した状態で当該ドラムに設けた用紙抑え部に記録用紙の一方の端部を係止し、前記記録用紙の残り部分を前記胴体部に巻付けてからその他方の端部を当該係止部分と前記外周面との間に差し込むようにした取付方法であって、
前記記録用紙の一方の端部を前記用紙抑え部に係止するに際し、当該端部の表面側を山折りにすることにより形成される短片部とこれに続く記録用紙部分とで、当該用紙抑え部を、当該短片部が前記外周面の側に位置する状態で挟んだ形にしたことを特徴とする記録用紙のドラムへの取付方法。
【請求項２】
記録用紙の一方の端部表面側を山折りにすることにより形成される短片部とこれに続く記録用紙部分とを、当該短片部がドラムの胴体部の外周面の側に位置する状態で係止するとともに、当該記録用紙の残り部分を当該胴体部に巻付けてからその他方の端部が当該係止部分と当該外周面との間に差し込まれるための用紙抑え部を備えた記録用紙の取付構造であって、
前記用紙抑え部は、前記外周面とその上下方向にわたって対向した状態で、前記ドラムにあらかじめ固定されていることを特徴とする記録用紙のドラムへの取付構造。
【請求項３】
前記用紙抑え部の固定の態様が、その上端部を前記ドラムの天井板鍔部に設けた上側保持用孔部に、またその下端部を前記ドラムの底板鍔部に設けた下側保持用孔部にそれぞれ挿入したものであることを特徴とする請求項２記載の記録用紙のドラムへの取付構造。
【発明の詳細な説明】
【０００１】
【発明の属する技術分野】
本発明は、記録用紙のドラムへの取付方法およびそのための取付構造に関し、特にドラムの胴体部の外周面と対向した状態で当該ドラムに設けた用紙抑え部に記録用紙の一方の端部を係止し、前記記録用紙の残り部分を前記胴体部に巻付けてからその他方の端部を当該係止部分と前記外周面との間に差し込むようにした取付手法に関する。
【０００２】
近年、外周面に記録用紙を取り付けたドラムを所定速度で回転させて当該記録用紙の一周部分に室内の温度や湿度などの経時変化を記録する自動記録装置が様々な環境、例えばコンピュータルーム、工場の生産ライン、美術館、倉庫などで用いられている。
【０００３】
そして、自動記録を新たに開始するときに必要となる手順、すなわち記録用紙をドラムの胴体部の外周面に取り付ける作業を利用者が簡単にかつ確実に行なえることが望ましく、本発明はこのような要請に応えるものである。
【０００４】
【従来の技術】
図３および図４は、従来の、記録用紙のドラムへの取付方法およびそのための取付構造を示す説明図であり、21は記録用紙、22は記録用紙の重なり部分、23はドラム、24はドラムの天井板、25は天井板鍔部、26は天井板鍔部25に設けた切欠部、27は底板鍔部、28は底板鍔部27に設けた保持用孔部、29は抑え金具、30は抑え金具29の上端に設けた折曲部をそれぞれ示している。
【０００５】
ここで、記録用紙21をドラム23の胴体部に取り付けるときの手順は次のようになっている。
▲１▼′取付作業者は、記録用紙21をその端部同士の重なり部分22が切欠部26と保持用孔部28とを結ぶ線上に位置するようにドラム23の胴体部に巻き付けて、その状態を自らの手などで保持する。
▲２▼′取付作業者は、抑え金具29の先端を保持用孔部28に挿入しながらその折曲部30を天井板鍔部25の切欠部26に差し込むことにより、記録用紙21の重なり部分22を固定する。
【０００６】
【発明が解決しようとする課題】
このように、従来の、記録用紙のドラムへの取付方法では、ドラムの胴体部に対して所定の位置関係で記録用紙を巻き付けてからその抑え金具をドラムの保持用孔部などにセットするようにしているので、記録用紙や抑え金具の位置合わせに手間がかかり、また、ドラムとは別体の抑え金具を紛失してしまうことがあるなどの問題点があった。
【０００７】
そこで、本発明では、用紙抑え部をドラムにあらかじめ固定しておき、記録用紙の一方の端部の折り部を当該用紙抑え部に係止した上で残り部分をドラムの胴体部に巻付けてからその他方の端部を当該用紙抑え部と当該胴体部との間に差し込むようにすることにより、記録用紙のドラムへの取付作業の簡便化を図ることを目的とする。
【０００８】
また、胴体部には手を加えない形で用紙抑え部をドラムにあらかじめ固定しておくことにより、ドラムの生産効率の低下や用紙抑え部の紛失を防止することを目的とする。
【０００９】
【課題を解決するための手段】
そのために、本発明では、
「ドラムの胴体部の外周面と対向した状態で当該ドラムに設けた用紙抑え部に記録用紙の一方の端部を係止し、前記記録用紙の残り部分を前記胴体部に巻付けてからその他方の端部を当該係止部分と前記外周面との間に差し込むようにした取付方法であって、前記記録用紙の一方の端部を前記用紙抑え部に係止するに際し、当該端部の表面側を山折りにすることにより形成される短片部とこれに続く記録用紙部分とで、当該用紙抑え部を、当該短片部が前記外周面の側に位置する状態で挟んだ形にしたこと」
からなる、記録用紙のドラムへの取付方法を用いている。
【００１０】
また、本発明では、
「記録用紙の一方の端部表面側を山折りにすることにより形成される短片部とこれに続く記録用紙部分とを、当該短片部がドラムの胴体部の外周面の側に位置する状態で係止するとともに、当該記録用紙の残り部分を当該胴体部に巻付けてからその他方の端部が当該係止部分と当該外周面との間に差し込まれるための用紙抑え部を備えた記録用紙の取付構造であって、前記用紙抑え部は、前記外周面とその上下方向にわたって対向した状態で、前記ドラムにあらかじめ固定されていること」
からなる、記録用紙のドラムへの取付構造を用いている。
【００１１】
また、本発明では、
「前記用紙抑え部の固定の態様が、その上端部を前記ドラムの天井板鍔部に設けた上側保持用孔部に、またその下端部を前記ドラムの底板鍔部に設けた下側保持用孔部にそれぞれ挿入したものであること」
からなる、記録用紙のドラムへの取付構造を用いている。
【００１２】
【発明の実施の形態】
図１および図２を参照して本発明の実施の形態を説明する。
図において、１は記録用紙、２は記録用紙の一方の端部、３は記録用紙の他方の端部、４は記録用紙の一方の端部２に設けたミシン目、５は短片部、６は短片部５に続く記録用紙部分、７はドラムの胴体部、８は胴体部の外周面、９は外周面８と対向した状態でドラム７に設けた用紙抑え部、10は胴体部の外周面８に設けた目印、11はドラムの天井板、12は天井板鍔部、13は天井板鍔部12に設けた上側保持用孔部、14はドラムの底板、15は底板鍔部、16は底板鍔部15に設けた下側保持用孔部をそれぞれ示している。
【００１３】
図１は、記録用紙のドラムへの取付方法を示す説明図であり、その内容は次のようになっている。
(a) 記録用紙１の一方の端部２を、その表面が外周面８に対向する状態で当該外周面上の目印10の部分に合わせる。
(b) この位置合わせ後の記録用紙１を胴体部７の外周面８と用紙抑え部９との間に入れていく。
(c) ミシン目４の表面側を山折りにして形成した短片部５とこれに続く記録用紙部分６とで用紙抑え部９を挟み込んだ状態にする。
(d) この記録用紙部分６を胴体部７の外周面８に巻き付けてから、その他方の端部３を短片部５と外周面８との間に差し込む。
【００１４】
ここで、用紙抑え部９はあらかじめドラムの天井板11および底板14に固定されているので（図２参照）、取付作業者は、この用紙抑え部９に記録用紙１の一方の端部２を係止した上で当該記録用紙１を胴体部７に巻き付けてからその他方の端部３を当該用紙抑え部９の下側に差し込むといった簡単な手順により、記録用紙１をドラムに取り付けることができる。
【００１５】
図２は、用紙抑え部のドラムへの取付構造を示す説明図である。
用紙抑え部９の上端部は天井板鍔部12に設けた上側保持用孔部13に、また用紙抑え部９の下端部は底板鍔部15に設けた下側保持用孔部16にそれぞれ保持されている。
【００１６】
そして、用紙抑え部をドラムに取り付けるときの手順は、
・胴体部７に底板14を取り付けるとともに、底板鍔部15に設けた下側保持用孔部16に用紙抑え部９の下端部を挿入し、
・胴体部７に天井板11を取り付けるとともに、天井板鍔部12に設けた上側保持用孔部13に用紙抑え部９の上端部を挿入する、
といった内容になる。
【００１７】
【発明の効果】
本発明は、このように、ドラムにあらかじめ固定した用紙抑え部に記録用紙の一方の端部を係止した上で、記録用紙の残り部分をドラムの胴体部に巻付けてからその他方の端部を当該用紙抑え部と当該胴体部との間に差し込むようにしているので、記録用紙のドラムへの取付作業を簡便なものにすることができる。
【００１８】
また、胴体部には何ら手を加えない形で用紙抑え部をドラムにあらかじめ固定しているので、ドラムの生産効率の低下や用紙抑え部の紛失を防止することができる。
【図面の簡単な説明】
【図１】本発明の、記録用紙のドラムへの取付方法を示す説明図である。
【図２】本発明の、用紙抑え部のドラムへの取付構造を示す説明図である。
【図３】従来の、記録用紙をドラムへ取り付けた状態を示す説明図である。
【図４】従来の、記録用紙の重なり部分に抑え金具を設定するときの様子を示す説明図である。
【符号の説明】
１・・・記録用紙
２・・・記録用紙の一方の端部
３・・・記録用紙の他方の端部
４・・・ミシン目
５・・・短片部
６・・・短片部に続く記録用紙部分
７・・・ドラムの胴体部
８・・・胴体部の外周面
９・・・用紙抑え部
10・・・胴体部の外周面に設けた目印
11・・・ドラムの天井板
12・・・天井板鍔部
13・・・天井板鍔部に設けた上側保持用孔部
14・・・ドラムの底板
15・・・底板鍔部
16・・・底板鍔部に設けた下側保持用孔部
21・・・記録用紙
22・・・記録用紙の重なり部分
23・・・ドラム
24・・・ドラムの天井板
25・・・天井板鍔部
26・・・天井板鍔部に設けた切欠部
27・・・底板鍔部
28・・・底板鍔部に設けた保持用孔部
29・・・抑え金具
30・・・抑え金具の上端に設けた折曲部
【図１】
0003645652.tif 000002
【図２】
0003645652.tif 000003
【図３】
0003645652.tif 000004
【図４】
0003645652.tif 000005